【手続補正書】
【提出日】平成18年12月13日(2006.12.13)
【手続補正１】
【補正対象書類名】特許請求の範囲
【補正対象項目名】請求項１
【補正方法】変更
【補正の内容】
【請求項１】
化学式（１）で示される構造のモノマーユニットを含むことを特徴とするポリマー。
【化１】
2005350667.tif 000001
（式中、Rは−A1−SO2R1を表す。R1w、R1X 、R1yは、下記（ｉ）または（ｉｉ）に記載されている組み合わせから選ばれる。（ｉ）の場合、A1とR1は、下記（ｉ−Ａ）から（ｉ−Ｇ）に記載の組み合わせから選ばれ、また、（ｉｉ）の場合、A1とR1は、（ｉｉ−Ａ）に記載の組み合わせから選ばれる。
（ｉ）  R1w、R1Xは水素原子であり、R1yはCH3基または水素原子である。
(ｉ−Ａ)  A1は、メチレン基、エチレン基、直鎖もしくは分岐の炭素数3のアルキレン基、化学式(１０１)から選ばれる炭素数4のアルキレン基、化学式(４０２)から選ばれる炭素数5のアルキレン基、直鎖もしくは分岐の炭素数6〜8のアルキレン基、化学式（１０４a）もしくは（１０４b）で示す未置換の芳香族環構造、または未置換の複素環構造のいずれかである。Ｒ1は、ハロゲン原子またはＯＲ1aである。R1aは、置換もしくは未置換の脂肪族炭化水素構造、置換もしくは未置換の芳香族環構造、または置換もしくは未置換の複素環構造のいずれかである。
(ｉ−Ｂ)  A1は、化学式（１０５）で示す未置換の芳香族環構造である。Ｒ1は、ハロゲン原子またはＯＲ1aである。Ｒ1aは、メチル基、直鎖もしくは分岐の炭素数3〜8のアルキル基、置換もしくは未置換の芳香族環構造、または置換もしくは未置換の複素環構造のいずれかである。
(ｉ−Ｃ)  A1は、化学式(１０６)で示す分岐の炭素数４のアルキレン基である。Ｒ1は、ハロゲン原子またはＯＲ1aである。Ｒ1aは、直鎖もしくは分岐の炭素数3のアルキル基、分岐の炭素数４のアルキル基、直鎖もしくは分岐の炭素数5〜8のアルキル基、置換もしくは未置換の芳香族環構造、または置換もしくは未置換の複素環構造のいずれかである。
(ｉ−Ｄ)  A1は、化学式(１０７)で示す分岐の炭素数４のアルキレン基である。Ｒ1は、ハロゲン原子またはＯＲ1aである。Ｒ1aは、直鎖もしくは分岐の炭素数2〜8のアルキル基、置換もしくは未置換の芳香族環構造、または置換もしくは未置換の複素環構造のいずれかである。
(ｉ−Ｅ)  A1は、置換芳香族環構造である。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。
(ｉ−Ｆ)   A1は、置換複素環構造である。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。
(ｉ−Ｇ)  A1は、未置換のナフタレン構造である。Ｒ1は、ハロゲン原子またはＯＲ1aである。R1aは、置換もしくは未置換の脂肪族炭化水素構造、置換もしくは未置換の芳香族環構造、または置換もしくは未置換の複素環構造のいずれかである。
（ｉｉ）  R1w、R1Xは、それぞれ独立してハロゲン原子、または水素原子である。R1yは、CH3基、ハロゲン原子、または水素原子である。R1w、R1X、R1yの少なくとも１つは、ハロゲン原子である。
（ｉｉ−Ａ）  A1は、置換もしくは未置換の脂肪族炭化水素構造、置換もしくは未置換の芳香族環構造、または置換もしくは未置換の複素環構造のいずれかである。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。）
【化２】
2005350667.tif 000002
【化３】
2005350667.tif 000003
【化４】
2005350667.tif 000004
【化５】
2005350667.tif 000005
【手続補正２】
【補正対象書類名】特許請求の範囲
【補正対象項目名】請求項１５
【補正方法】変更
【補正の内容】
【請求項１５】
化学式（１）で示される構造のモノマーユニットに加え、化学式（１０８）で示されるビニル系モノマー由来のユニットを含むことを特徴とする請求項１〜14のいずれかの項に記載のポリマー。
【化２８】
2005350667.tif 000006
（式中、R108w、R108xはそれぞれ独立してハロゲン原子、または水素原子である。R108yはCH3基、ハロゲン原子、または水素原子である。R108は、水素原子、置換もしくは未置換の脂肪族炭化水素構造、置換もしくは未置換の芳香族環構造、置換もしくは未置換の複素環構造、ハロゲン原子、−ＣＯ−R108a、−Ｏ−R108b、−COＯ−R108c、−OCＯ−R108d、−CＯNR108eR108f、−CN、またはＮ原子を含む環構造のいずれかである。R108a、R108b、R108c、R108d、R108e、R108fはそれぞれ独立して、水素原子、置換もしくは未置換の脂肪族炭化水素構造、置換もしくは未置換の芳香族環構造、または置換もしくは未置換の複素環構造のいずれかである。）
【手続補正３】
【補正対象書類名】特許請求の範囲
【補正対象項目名】請求項１９
【補正方法】変更
【補正の内容】
【請求項１９】
化学式（６１７）で示す化合物を重合することにより、化学式（１）に示す構造のモノマーユニットを含むポリマーを得ることを特徴とする化学式（１）に示す示す構造のモノマーを含むポリマーの製造方法。
【化３９】
2005350667.tif 000007
（式中、Rは−A617−SO2R617を表す。R617w、R617X 、R617yは、下記（ｉ）または（ｉｉ）に記載されている組み合わせから選ばれる。（ｉ）の場合、A617とR617は、下記（ｉ−Ａ）から（ｉ−Ｇ）に記載の組み合わせから選ばれ、また、（ｉｉ）の場合、A617とR617は、（ｉｉ−Ａ）に記載の組み合わせから選ばれる。
（ｉ）  R617w、R617Xは水素原子であり、R617yはCH3基または水素原子である。
(ｉ−Ａ)  A617は、メチレン基、エチレン基、直鎖もしくは分岐の炭素数3のアルキレン基、化学式(６０１)から選ばれる炭素数4のアルキレン基、化学式(６０２)から選ばれる炭素数5のアルキレン基、直鎖もしくは分岐の炭素数6〜8のアルキレン基、化学式（６０４a）もしくは（６０４b）で示す未置換の芳香族環構造、または未置換の複素環構造のいずれかである。Ｒ617は、ハロゲン原子またはＯＲ617aである。R617aは、置換もしくは未置換の脂肪族炭化水素構造、置換もしくは未置換の芳香族環構造、または置換もしくは未置換の複素環構造のいずれかである。
(ｉ−Ｂ)  A617は、化学式（６０５）で示す未置換の芳香族環構造である。Ｒ617は、ハロゲン原子またはＯＲ617aである。Ｒ617aは、メチル基、直鎖もしくは分岐の炭素数3〜8のアルキル基、置換もしくは未置換の芳香族環構造、または置換もしくは未置換の複素環構造のいずれかである。
(ｉ−Ｃ)  A617は、化学式(６０６)で示す分岐の炭素数４のアルキレン基である。Ｒ617は、ハロゲン原子またはＯＲ617aである。Ｒ617aは、直鎖もしくは分岐の炭素数3のアルキル基、分岐の炭素数４のアルキル基、直鎖もしくは分岐の炭素数5〜8のアルキル基、置換もしくは未置換の芳香族環構造、または置換もしくは未置換の複素環構造のいずれかである。
(ｉ−Ｄ)  A617は、化学式(６０７)で示す分岐の炭素数４のアルキレン基である。Ｒ617は、ハロゲン原子またはＯＲ617aである。Ｒ617aは、直鎖もしくは分岐の炭素数2〜8のアルキル基、置換もしくは未置換の芳香族環構造、または置換もしくは未置換の複素環構造のいずれかである。
(ｉ−Ｅ)  A617は、置換芳香族環構造である。Ｒ617は、ＯＨ、ハロゲン原子、ＯＮａ、ＯＫまたはＯＲ617aである。R617aは、置換もしくは未置換の脂肪族炭化水素構造、置換もしくは未置換の芳香族環構造、または置換もしくは未置換の複素環構造のいずれかである。
(ｉ−Ｆ)  A617は、置換複素環構造である。Ｒ617は、ＯＨ、ハロゲン原子、ＯＮａ、ＯＫまたはＯＲ617aである。R617aは、置換もしくは未置換の脂肪族炭化水素構造、置換もしくは未置換の芳香族環構造、または置換もしくは未置換の複素環構造のいずれかである。
(ｉ−Ｇ)  A617は、未置換のナフタレン構造である。Ｒ617は、ハロゲン原子またはＯＲ617aである。R617aは、置換もしくは未置換の脂肪族炭化水素構造、置換もしくは未置換の芳香族環構造、または置換もしくは未置換の複素環構造のいずれかである。
（ｉｉ）  R617w、R617Xは、それぞれ独立してハロゲン原子、または水素原子である。R617yは、CH3基、ハロゲン原子、または水素原子である。R617w、R617X、R617yの少なくとも１つは、ハロゲン原子である。
（ｉｉ−Ａ）  A617は、置換もしくは未置換の脂肪族炭化水素構造、置換もしくは未置換の芳香族環構造、または置換もしくは未置換の複素環構造のいずれかである。Ｒ617は、ＯＨ、ハロゲン原子、ＯＮａ、ＯＫまたはＯＲ617aである。R617aは、置換もしくは未置換の脂肪族炭化水素構造、置換もしくは未置換の芳香族環構造、または置換もしくは未置換の複素環構造のいずれかである。）
【化４０】
2005350667.tif 000008
【化４１】
2005350667.tif 000009
【化４２】
2005350667.tif 000010
【化４３】
2005350667.tif 000011
【化４４】
2005350667.tif 000012
（式中、Rは−A1−SO2R1を表す。R1w、R1X 、R1yは、下記（ｉ）または（ｉｉ）に記載されている組み合わせから選ばれる。（ｉ）の場合、A1とR1は、下記（ｉ−Ａ）から（ｉ−Ｇ）に記載の組み合わせから選ばれ、また、（ｉｉ）の場合、A1とR1は、（ｉｉ−Ａ）に記載の組み合わせから選ばれる。
（ｉ）  R1w、R1Xは水素原子であり、R1yはCH3基または水素原子である。
(ｉ−Ａ)  A1は、メチレン基、エチレン基、直鎖もしくは分岐の炭素数3のアルキレン基、化学式(１０１)から選ばれる炭素数4のアルキレン基、化学式(４０２)から選ばれる炭素数5のアルキレン基、直鎖もしくは分岐の炭素数6〜8のアルキレン基、化学式（１０４a）もしくは（１０４b）で示す未置換の芳香族環構造、または未置換の複素環構造のいずれかである。Ｒ1は、ハロゲン原子またはＯＲ1aである。R1aは、置換もしくは未置換の脂肪族炭化水素構造、置換もしくは未置換の芳香族環構造、または置換もしくは未置換の複素環構造のいずれかである。
(ｉ−Ｂ)  A1は、化学式（１０５）で示す未置換の芳香族環構造である。Ｒ1は、ハロゲン原子またはＯＲ1aである。Ｒ1aは、メチル基、直鎖もしくは分岐の炭素数3〜8のアルキル基、置換もしくは未置換の芳香族環構造、または置換もしくは未置換の複素環構造のいずれかである。
(ｉ−Ｃ)  A1は、化学式(１０６)で示す分岐の炭素数４のアルキレン基である。Ｒ1は、ハロゲン原子またはＯＲ1aである。Ｒ1aは、直鎖もしくは分岐の炭素数3のアルキル基、分岐の炭素数４のアルキル基、直鎖もしくは分岐の炭素数5〜8のアルキル基、置換もしくは未置換の芳香族環構造、または置換もしくは未置換の複素環構造のいずれかである。
(ｉ−Ｄ)  A1は、化学式(１０７)で示す分岐の炭素数４のアルキレン基である。Ｒ1は、ハロゲン原子またはＯＲ1aである。Ｒ1aは、直鎖もしくは分岐の炭素数2〜8のアルキル基、置換もしくは未置換の芳香族環構造、または置換もしくは未置換の複素環構造のいずれかである。
(ｉ−Ｅ)  A1は、置換芳香族環構造である。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。
(ｉ−Ｆ)  A1は、置換複素環構造である。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。
(ｉ−Ｇ)  A1は、未置換のナフタレン構造である。Ｒ1は、ハロゲン原子またはＯＲ1aである。R1aは、置換もしくは未置換の脂肪族炭化水素構造、置換もしくは未置換の芳香族環構造、または置換もしくは未置換の複素環構造のいずれかである。
（ｉｉ）  R1w、R1Xは、それぞれ独立してハロゲン原子、または水素原子である。R1yは、CH3基、ハロゲン原子、または水素原子である。R1w、R1X、R1yの少なくとも１つは、ハロゲン原子である。
（ｉｉ−Ａ）  A1は、置換もしくは未置換の脂肪族炭化水素構造、置換もしくは未置換の芳香族環構造、または置換もしくは未置換の複素環構造のいずれかである。Ｒ1は、ＯＨ、ハロゲン原子、ＯＮａ、ＯＫまたはＯＲ1aである。R1aは、置換もしくは未置換の脂肪族炭化水素構造、置換もしくは未置換の芳香族環構造、または置換もしくは未置換の複素環構造のいずれかである。）
【化４５】
2005350667.tif 000013
【化４６】
2005350667.tif 000014
【化４７】
2005350667.tif 000015
【化４８】
2005350667.tif 000016
【手続補正４】
【補正対象書類名】特許請求の範囲
【補正対象項目名】請求項２０
【補正方法】変更
【補正の内容】
【請求項２０】
化学式（14）で示すモノマーユニットを含むポリマーと、化学式（15）で示されるアミン化合物の少なくとも１種とを縮合反応させて化学式（16）に示すモノマーユニットを含むポリマーを得ることを特徴とする化学式（16）に示すモノマーユニットを含むポリマーの製造方法。
【化４９】
2005350667.tif 000017
（式中、R20w、R20xはそれぞれ独立してハロゲン原子、または水素原子である。R20yはCH3基、ハロゲン原子、または水素原子である。
Ｒ20は、Ｈ原子、Ｎａ原子またはＫ原子である。）
【化５０】
2005350667.tif 000018
（式中、Ｒ21はＯＨ、ハロゲン原子、ＯＮａ、ＯＫまたはＯＲ21a である。Ａ21、Ｒ21a は、それぞれ独立して、置換もしくは未置換の脂肪族炭化水素構造、置換もしくは未置換の芳香族環構造、または置換もしくは未置換の複素環構造である。）
【化５１】
2005350667.tif 000019
（式中、Ｒは−Ａ22 −ＳＯ2 Ｒ22 を表す。R22w、R22xは、それぞれ独立してハロゲン原子、または水素原子である。R22yはCH3基、ハロゲン原子、または水素原子である。Ｒ22 はＯＨ、ハロゲン原子、ＯＮａ、ＯＫまたはＯＲ22aである。Ａ22 、Ｒ22aは、それぞれ独立して、置換もしくは未置換の脂肪族炭化水素構造、置換もしくは未置換の芳香族環構造、または置換もしくは未置換の複素環構造である。）
【手続補正５】
【補正対象書類名】特許請求の範囲
【補正対象項目名】請求項２５
【補正方法】変更
【補正の内容】
【請求項２５】
化学式（17）で示すモノマーユニットを含むポリマーに、エステル化剤を用いてエステル化を行い化学式（18）に示すモノマーユニットを含むポリマーを得ることを特徴とする化学式（18）に示すモノマーユニットを含むポリマーの製造方法。
【化５２】
2005350667.tif 000020
（式中、Ｒは−Ａ23 −ＳＯ2 Ｒ23 を表す。R23w、R23xは、それぞれ独立してハロゲン原子、または水素原子である。R23yは、CH3基、ハロゲン原子、または水素原子である。Ｒ23 はＯＨ、ハロゲン原子、ＯＮａまたはＯＫである。Ａ23は、置換もしくは未置換の脂肪族炭化水素構造、置換もしくは未置換の芳香族環構造、または置換もしくは未置換の複素環構造である。）
【化５３】
2005350667.tif 000021
（式中、Ｒは−Ａ24−ＳＯ3R24 を表す。R24w、R24xは、それぞれ独立して、ハロゲン原子、または水素原子である。R24yは、CH3基、ハロゲン原子、または水素原子である。Ａ24 、Ｒ24は、それぞれ独立して、置換もしくは未置換の脂肪族炭化水素構造、置換もしくは未置換の芳香族環構造、または置換もしくは未置換の複素環構造のいずれかである。）
【手続補正６】
【補正対象書類名】特許請求の範囲
【補正対象項目名】請求項２８
【補正方法】変更
【補正の内容】
【請求項２８】
粉粒体の荷電状態を制御する荷電制御剤において、化学式（19）に示す構造のモノマーユニットを含むポリマーを含有していることを特徴とする荷電制御剤。
【化５４】
2005350667.tif 000022
（式中、Ｒは−Ａ25 −ＳＯ2 Ｒ25 を表す。R25w、R25X 、R25yは、下記（ｉ）または（ｉｉ）に記載されている組み合わせから選ばれる。（ｉ）の場合、A25とR25は、下記（ｉ−Ａ）から（ｉ−Ｂ）に記載の組み合わせから選ばれ、また、（ｉｉ）の場合、A25とR25は、（ｉｉ−Ａ）に記載の組み合わせから選ばれる。
（ｉ）  R25w、R25Xが水素原子であり、R25yが、CH3基、または水素原子である。
（ｉ−Ａ）  A25は、置換もしくは未置換の脂肪族炭化水素構造である。Ｒ25は、ハロゲン原子またはＯＲ25aである。Ｒ25aは、置換もしくは未置換の脂肪族炭化水素構造、置換もしくは未置換の芳香族環構造、または置換もしく未置換の複素環構造である。
（ｉ−Ｂ）  A25は、置換もしくは未置換の芳香族環構造、または置換もしくは未置換の複素環構造である。Ｒ25は、ＯＨ、ハロゲン原子、ＯＮａ、ＯＫまたはＯＲ25aである。Ｒ25aは、置換もしくは未置換の脂肪族炭化水素構造、置換もしくは未置換の芳香族環構造、または置換もしくは未置換の複素環構造である。
（ｉｉ）  R25w、R25Xは、それぞれ独立してハロゲン原子、または水素原子である。R25yは、CH3基、ハロゲン原子、または水素原子である。R25w、R25X、R25yの少なくとも１つは、ハロゲン原子である。
（ｉｉ−Ａ）  A25は、置換もしくは未置換の脂肪族炭化水素構造、置換もしくは未置換の芳香族環構造、または置換もしくは未置換の複素環構造のいずれかである。Ｒ25は、ＯＨ、ハロゲン原子、ＯＮａ、ＯＫまたはＯＲ25aである。R25aは、置換もしくは未置換の脂肪族炭化水素構造、置換もしくは未置換の芳香族環構造、または置換もしくは未置換の複素環構造のいずれかである。）
【手続補正７】
【補正対象書類名】明細書
【補正対象項目名】０００５
【補正方法】変更
【補正の内容】
【０００５】
第１の本発明に係るポリマーは、化学式（１）で示される構造のモノマーユニットを含むことを特徴とする。
【手続補正８】
【補正対象書類名】明細書
【補正対象項目名】００１９
【補正方法】変更
【補正の内容】
【００１９】
また、本発明に係るポリマーの製造方法は、
化学式（６１７）で示す化合物を重合することにより、化学式（１）で示される構造のモノマーユニットを含むポリマーを得ることを特徴とする。
【手続補正９】
【補正対象書類名】明細書
【補正対象項目名】００３２
【補正方法】変更
【補正の内容】
【００３２】
また、本発明にかかる化学式（１６）に示すポリマーの製造方法は、
化学式（14）で示すモノマーユニットを含むポリマーと、化学式（15）で示されるアミン化合物の少なくとも１種とを縮合反応させて化学式（16）に示すモノマーユニットを含むポリマーを得ることを特徴とする。
【手続補正１０】
【補正対象書類名】明細書
【補正対象項目名】００３８
【補正方法】変更
【補正の内容】
【００３８】
（式中、Ｒは−Ａ22−ＳＯ2Ｒ22を表す。R22w、R22xは、それぞれ独立してハロゲン原子、または水素原子である。R22yはCH3基、ハロゲン原子、または水素原子である。Ｒ22 はＯＨ、ハロゲン原子、ＯＮａ、ＯＫまたはＯＲ22aである。Ａ22 、Ｒ22aは、それぞれ独立して、置換もしくは未置換の脂肪族炭化水素構造、置換もしくは未置換の芳香族環構造、または置換もしくは未置換の複素環構造である。）
また、本発明にかかる化学式（１８）に示すモノマーユニットを含むポリマーの製造方法は、化学式（17）で示すモノマーユニットを含むポリマーに、エステル化剤を用いてエステル化を行ことを特徴とする。
【手続補正１１】
【補正対象書類名】明細書
【補正対象項目名】００４２
【補正方法】変更
【補正の内容】
【００４２】
（式中、Ｒは−Ａ24−ＳＯ3R24 を表す。R24w、R24xは、それぞれ独立して、ハロゲン原子、または水素原子である。R24yは、CH3基、ハロゲン原子、または水素原子である。Ａ24 、Ｒ24は、それぞれ独立して、置換もしくは未置換の脂肪族炭化水素構造、置換もしくは未置換の芳香族環構造、または置換もしくは未置換の複素環構造のいずれかである。）
本発明にかかる荷電制御剤は、
粉粒体の荷電状態を制御する荷電制御剤において、化学式（19）に示す構造のモノマーユニットを有するポリマーを含有していることを特徴とする。
【手続補正１２】
【補正対象書類名】明細書
【補正対象項目名】００４４
【補正方法】変更
【補正の内容】
【００４４】
（式中、Ｒは−Ａ25 −ＳＯ2 Ｒ25 を表す。R25w、R25X 、R25yは、下記（ｉ）または（ｉｉ）に記載されている組み合わせから選ばれる。（ｉ）の場合、A25とR25は、下記（ｉ−Ａ）から（ｉ−Ｂ）に記載の組み合わせから選ばれ、また、（ｉｉ）の場合、A25とR25は、（ｉｉ−Ａ）に記載の組み合わせから選ばれる。
（ｉ）  R25w、R25Xが水素原子であり、R25yが、CH3基、または水素原子である。
（ｉ−Ａ）  A25は、置換もしくは未置換の脂肪族炭化水素構造である。Ｒ25は、ハロゲン原子またはＯＲ25aである。Ｒ25aは、置換もしくは未置換の脂肪族炭化水素構造、置換もしくは未置換の芳香族環構造、または置換もしく未置換の複素環構造である。
（ｉ−Ｂ）  A25は、置換もしくは未置換の芳香族環構造、または置換もしくは未置換の複素環構造である。Ｒ25は、ＯＨ、ハロゲン原子、ＯＮａ、ＯＫまたはＯＲ25aである。Ｒ25aは、置換もしくは未置換の脂肪族炭化水素構造、置換もしくは未置換の芳香族環構造、または置換もしくは未置換の複素環構造である。
（ｉｉ）  R25w、R25Xは、それぞれ独立してハロゲン原子、または水素原子である。R25yは、CH3基、ハロゲン原子、または水素原子である。R25w、R25X、R25yの少なくとも１つは、ハロゲン原子である。
（ｉｉ−Ａ）  A25は、置換もしくは未置換の脂肪族炭化水素構造、置換もしくは未置換の芳香族環構造、または置換もしくは未置換の複素環構造のいずれかである。Ｒ25は、ＯＨ、ハロゲン原子、ＯＮａ、ＯＫまたはＯＲ25aである。R25aは、置換もしくは未置換の脂肪族炭化水素構造、置換もしくは未置換の芳香族環構造、または置換もしくは未置換の複素環構造のいずれかである。）
また、本発明にかかる荷電制御剤は、粉粒体の荷電状態を制御する荷電制御剤において、前記化学式（１）のモノマーユニットを含むポリマーの少なくとも１種を含有してなることを特徴とする。